(57)【要約】  本発明は、PET検出器に対するシンチレーションレイヤ(20)に関する。そのシンチレーションレイヤ(20)は、実質的に隙間のない態様で結合され、かつ湾曲(24)の中心に向かう複数のシンチレーション要素(21)からなる。シンチレーションレイヤ(20)の形状に応じて、シンチレーション要素(21)は、例えば、丸められた楔又はピラミッドの形状を取ることができる。
2007517281.tif 000002
【特許請求の範囲】
【請求項１】
所定の機能を実現する少なくとも１つのアプリケーションプログラムを格納し、及び取り出すため、並びに少なくとも１つのデータファイルを格納し、及び取り出すためのメモリを持つコンピュータを有するデータ処理システムであって、該コンピュータは、前記コンピュータと該コンピュータのユーザとの間のコミュニケーションを楽しませるためのユーザインタフェースを有し、前記少なくとも１つのアプリケーションプログラムは、前記少なくとも１つのデータファイルと共に前記アプリケーションプログラムの実行可能性をチェックし、及びイネーブル化する評価ソフトウェアと、前記評価ソフトウェアによる前記イネーブル化に基づき、前記少なくとも１つのデータファイルと共に前記機能を実行する処理ソフトウェアとを有し、前記評価ソフトウェアは、前記処理ソフトウェアとは別個に実行可能であり、かつ独立していることを特徴とするデータ処理システム。
【請求項２】
前記ユーザインタフェースは、前記評価ソフトウェアの実行を開始し、前記実行が完了した後、前記ユーザに前記実行の結果を伝えることができることを特徴とする請求項１に記載のデータ処理システム。
【請求項３】
前記ユーザインタフェースは、前記評価ソフトウェアの実行を開始し、及び／又は前記処理ソフトウェアの実行により直ちに後続される前記評価ソフトウェアの実行を開始することができることを特徴とする請求項１又は２に記載のデータ処理システム。
【請求項４】
アプリケーションプログラムを選択すると、前記ユーザインタフェースが、前記利用可能なすべてのデータセットと共に、前記アプリケーションプログラムに関する前記評価ソフトウェアの実行を開始し、該実行が完了した後、前記アプリケーションプログラムと共に動作可能である前記データファイルを伝えることを特徴とする請求項１乃至３のいずれかに記載のデータ処理システム。
【請求項５】
データファイルを選択すると、前記ユーザインタフェースが、利用可能なすべてのアプリケーションプログラムに関する前記評価ソフトウェアの実行を開始し、該実行が完了した後、前記データファイルと共に動作可能である前記アプリケーションプログラムを伝えることを特徴とする請求項１乃至４のいずれか一項に記載のデータ処理システム。
【請求項６】
前記ユーザインタフェースは、前記評価ソフトウェアの実行から生じる結果を格納し、及び取り出すためのメモリを持つことを特徴とする請求項１乃至５のいずれか一項に記載のデータ処理システム。
【請求項７】
前記少なくとも１つのアプリケーションプログラムと前記少なくとも１つのデータファイルとは、医療情報に関連することを特徴とする請求項１乃至６のいずれか一項に記載のデータ処理システム。
【請求項８】
前記医療情報は、医療診断情報であることを特徴とする請求項７に記載のデータ処理システム。
【請求項９】
前記少なくとも１つのデータファイルは、MRIシステム、CTシステム、X線システム及び超音波システムのグループから選択される装置で得られる情報を含むことを特徴とする請求項７又は８に記載のデータ処理システム。
【請求項１０】
データファイルと共にコンピュータで使用するアプリケーションプログラムであって、所定の機能を実現する処理ソフトウェアと、前記データファイルと共に前記処理ソフトウェアの動作可能性をチェックし、及びイネーブル化する評価ソフトウェアとを有し、前記評価ソフトウェアは、前記処理ソフトウェアとは別個に実行可能であり、かつ独立していることを特徴とするアプリケーションプログラム。
【請求項１１】
請求項１０に記載のアプリケーションプログラムを備えるソフトウェア担体。
【発明の詳細な説明】
【技術分野】
【０００１】
本発明は、所定の機能を実現する少なくとも１つのアプリケーションプログラムを格納及び取り出すため、並びに少なくとも１つのデータファイルを格納及び取り出すためのメモリを持つコンピュータを有するデータ処理システムに関する。そこでは、コンピュータは、コンピュータとこのコンピュータのユーザとの間のコミュニケーションを楽しませるためのユーザインタフェースを有する。
【背景技術】
【０００２】
斯かるデータ処理システムは、世界中で一般に使用されている。
【０００３】
知られたデータ処理システムは通常、ワードプロセッサ、スプレッドシートプログラム、プレゼンテーションプログラム及び他のアプリケーションプログラムといった、いくつかのアプリケーションプログラムを有する。斯かるアプリケーションプログラムはそれぞれ、特定の種類のデータファイルを必要とする。写真処理プログラムと共に使用可能なデータファイルは、例えば、ワードプロセッサによる処理を許可しない。その逆も成り立つ。
【０００４】
ユーザを補助するために、知られたデータ処理システムにおけるユーザインタフェースは、データファイルが有効に使用されることが可能な各アプリケーションプログラムを指示する。従って、知られたデータ処理システムにおいて、アプリケーションプログラムとデータファイルとの実行可能な組み合わせは予め定まっており、いわゆる関連付けテーブルに与えられる。そのテーブルは、適用可能なデータファイルの拡張子に基づく。拡張子.docを持つデータファイルは、例えば、ワードプロセッサにより処理されることができるテキストを表す文字列を含む文書に関連することができる。しかしながら、斯かるデータファイルは、写真処理プログラムと共に用いられることはできない。
【発明の開示】
【発明が解決しようとする課題】
【０００５】
しかしながら、生じる問題は、特定のデータファイルの拡張子が、１つ又は複数のアプリケーションプログラムと共に処理されるべき機能を正確に反映していない場合があることである。これは、ユーザインタフェースは、斯かる結合した処理が実行可能であることを示すにも関わらず、データファイルの所与の拡張子に基づき、アプリケーションプログラムによるその処理が不可能であると判断される場合があることを意味する。または、実際には斯かる処理が可能であると判断されうるにも関わらず、ユーザインタフェースが、アプリケーションプログラムによるデータファイルの処理が実行可能ではないことを示す場合がある。この点は特に重要である。なぜなら、ユーザは、自己の動機に基づき、ファイルの拡張子を変更することができ、その結果、その拡張子がデータファイルの内容を適切に反映することができなくなるからである。
【０００６】
従来技術において、特定のアプリケーションプログラムが特定のデータファイルと結びつけられることができるかどうかの実際の評価は、斯かるデータファイルを伴うそのアプリケーションプログラムの実行開始に続いて直ちに行われる。そのため、従来技術におけるアプリケーションプログラムは、関連するデータファイルを伴うこのアプリケーションプログラムの実行可能性をチェックし、及びイネーブルにする評価ソフトウェアを有する。それにより、その処理ソフトウェアに先行して直前に実行される評価ソフトウェアによりイネーブルにされた同じ存在に依存し、そのデータファイルを伴い所定の機能を実現するこのアプリケーションプログラムのソフトウェアの処理だけが、実行可能になる。こうして、関連するアプリケーションプログラムに付随するデータファイルの互換性をチェックする評価ソフトウェアの結果に応じて、処理ソフトウェアが斯かるデータファイルと共に実行され、又はされないことになる。
【課題を解決するための手段】
【０００７】
本発明によれば、データ処理システムだけでなくアプリケーションプログラムが、その評価ソフトウェアが処理ソフトウェアとは別個に実行可能であり、処理ソフトウェアと独立しているという点で特徴付けられる。
【０００８】
これは、処理ソフトウェアの実際の実行に先行して、ユーザインタフェースが、評価ソフトウェアの実行を開始し、その実行が完了した後に、ユーザに対してその実行の結果を伝えることができるという利点を与える。本発明により、ユーザは、アプリケーションプログラムと、斯かるアプリケーションプログラムと共に処理されることができるデータファイルとの実行可能なすべての組み合わせに関する正確な情報を受け取る。更なる利点は、前述した実行可能な組み合わせを選択するのに必要なすべての「インテリジェンス(intelligence:情報)」がアプリケーションプログラム又は複数のプログラムの設計者に残されることができるという点にある。これは、一方で、その場の必要性に基づきその評価ソフトウェアが最適化されることができ、他方で、斯かるアプリケーションプログラムはすべて、異なる設計者が、その評価ソフトウェア内の前述したインテリジェンスに付随するいかなる知識も、後者と共有する必要なく、オペレーティングシステムの下で効率的に実行されることができることを意味する。
【０００９】
本発明は、とりわけ、診断画像及び生理学的データといった医療データの処理をサポートする。病院又は治療拠点(point-of-care)におけるワークフローは、一層容易なものにされる。なぜなら、データファイルに連続的に適用されることができるアプリケーションプログラムの選択は、ユーザからそれほど多くの注意が払われる必要がなく、それほど多くのスキルも必要ないからである。同様に、選択されたアプリケーションプログラムにより実行されることができるデータファイルは、自動的に選択される。従って、本発明における、データ処理システム又はアプリケーションソフトウェアのユーザは、医療データの処理に多くの注意を払う必要がない。その結果、ユーザは、そのデータファイルへのアプリケーションプログラムを適用した結果の内容により多くの注意を払うことができる。更に、そのアプリケーションプログラムとは別個に適用される評価ソフトウェアが、そのデータ処理システムにおけるより高レベルの直観的な動作を実現するので、ユーザは、データ処理システムの動作に関して、高いレベルのスキルを持つ必要がない。
【００１０】
更に、本発明は、本発明のデータ処理システム(又は、本発明のアプリケーションソフトウェアがインストールされたデータ処理システム)における動作の技術的なモードに関連することに留意されたい。
【００１１】
有利には、ユーザインタフェースが、評価ソフトウェアの実行を開始する、及び／又はその処理ソフトウェアの実行が直後に後続するようにしてその評価ソフトウェアの実行を開始することができる。従って、ユーザインタフェースは、利用可能なアプリケーションプログラムと利用可能なデータセットとの実行可能な組み合わせに関する情報が与えられる機会を提供するだけではない。同様の事が、１つ又は複数の斯かる実行可能な組み合わせに付随する処理ソフトウェアの実行により直ちに後続される事態も起こりうる。
【００１２】
本発明の１つの側面において、データ処理システムは、アプリケーションプログラムを選択すると、ユーザインタフェースが、すべての利用可能なデータセットと共に前述したアプリケーションプログラムの評価ソフトウェアの実行を開始し、その実行が完了した後に、そのアプリケーションプログラムと共に動作可能である、データファイル又は複数のデータファイルを伝えるという点で特徴付けられる。
【００１３】
本発明の別の側面において、データ処理システムは、データファイルを選択すると、ユーザインタフェースが、利用可能なすべてのアプリケーションプログラムに関する評価ソフトウェアの実行を開始し、その実行が完了した後に、前述したデータファイルと共に実行可能であるアプリケーションプログラム又は複数のアプリケーションプログラムを伝えるという点で特徴付けられる。
【００１４】
そのユーザインタフェースは、評価ソフトウェアの実行から生じる結果又は複数の結果を格納し、及び取り出すためのメモリを持つことが好ましい。これにより、処理ソフトウェアの実行の開始といった、その評価ソフトウェアの結果を必要とする追加的なアクションの速度を向上させることが可能になる。
【００１５】
本発明は、特に、少なくとも１つのアプリケーションプログラムと、少なくとも１つのデータファイルとが医療情報に関連するという点で特徴付けられるデータ処理システムにおける有利な使用をもたらすことができる。斯かるシステムにおいて、特にその医療情報が医療診断情報であるとき、ユーザは、検査対象である器官の複数の画像を各データファイルが含むことができる、多数のデータファイルにアクセスする。一方で、アプリケーションプログラムは、多くの異なる医療パッケージに関連することになる。各医療パッケージは、医療診断結果を得ることを目的とする、視聴(viewing)機能、処理機能及び／又は対話機能の特定の組み合わせを提供する。
【００１６】
斯かるシステムにおいて、データファイル又は複数のデータファイルは、MRIシステム、CTシステム、X線システム及び超音波システムを有するグループから選択される装置で得られる情報を含むことができる。斯かるシステムのいずれを用いても、医療診断情報が得られることができる。例えば、人間の脳、人間の心臓又は他の器官に関する情報である。
【発明を実施するための最良の形態】
【００１７】
本発明の範囲及びそれに付随する請求の範囲を限定することなく、添付される図面を参照して、本発明の例示的な実施形態に関する以下の説明が、更なる説明を与える。
【００１８】
本発明が関連するデータ処理システムは、従来技術と同様にして、所定の機能を実現する少なくとも１つのアプリケーションプログラムを格納し、及び取り出すためのメモリを持つコンピュータを有する。そのメモリは、更に、少なくとも１つのデータファイルを格納し、及び取り出すものとして機能する。斯かる知られたコンピュータは、コンピュータとそのコンピュータのユーザとのコミュニケーションを楽しくするためのユーザインタフェースも有する。この目的のために、ユーザに対して情報をアクセス可能にする視覚表示ユニットが、そのコンピュータに接続されることができる。また、マウス又は他の入力デバイス、例えばキーボードが、コンピュータに接続され、ユーザは、自身の所望の行動についてコンピュータに情報を与えることができる。
【００１９】
同じく、従来技術と同様に、そのコンピュータで動作可能なアプリケーションプログラムは、利用可能なデータファイルを伴うこれらのアプリケーションプログラムの実行可能性をチェックし、及びイネーブルにする評価ソフトウェアと、評価ソフトウェアによる先行するイネーブル化に基づき動作可能になることができる適用可能なデータファイルを伴うこれらのアプリケーションプログラムの機能を実行する処理ソフトウェアとを有する。これは、すべて従来技術において知られており、追加的な説明を必要としない。
【００２０】
本発明によれば、評価ソフトウェアは、処理ソフトウェアとは別個に実行可能であり、かつそれとは独立しており、ユーザインタフェースが、その評価ソフトウェアの実行を開始することを可能にする。それにより、その実行が完了した後、ユーザインタフェースは、ユーザに対して、この実行の結果を伝えることができる。斯かる結果の例が図１及び図２にそれぞれ示される。
【００２１】
図１を参照すると、１つの例が示され、そこでは、データファイルを選択すると、ユーザインタフェースが、利用可能なすべてのアプリケーションプログラムに関し評価ソフトウェアの実行を開始し、その実行が完了した後、前述のデータファイルと共に動作可能であるアプリケーションプログラム又は複数のアプリケーションプログラムを伝える。
【００２２】
この目的のため、ユーザは、例えば、マウスをクリックすることにより、VDUスクリーンのトップ部分にあるボタンの下に与えられる、表示される画像インデックス(pictorial
index)においてデータファイルを選択する。選択されたデータファイルは、光る境界(lighted border)によりマークされ、文字「選択されたサムネイル」により示される。VDUスクリーンのトップ部分において、連続する４つのボタンが示される。そのうち２つは、ディスエーブル(disable)であり(右側の２つのボタン)、そのうちの２つは、これら後者２つのボタンにより表されるアプリケーションプログラムが、選択されたデータファイルと共に実行されることができることを示すイネーブル(enable)である(左側の２つのボタン)。実際の処理は、デフォルトに割り当てられるアプリケーションプログラムの１つに対して、又はユーザが選択した別のイネーブル状態のアプリケーションプログラムに対して、選択されたデータファイルをダブルクリックすることにより開始されることができる。
【００２３】
図２は、本発明によるデータ処理システムにおけるユーザに提供されるVDUスクリーンに関連する。そこでは、アプリケーションプログラムを選択すると、ユーザインタフェースが、利用可能なすべてのデータセットと共に前述のアプリケーションプログラムの評価ソフトウェアの実行を開始し、その実行が完了した後、前述のアプリケーションプログラムと共に動作可能であるデータファイル又は複数のデータファイルを伝える。
【００２４】
この目的のため、ユーザは、可能な実施形態において、４つあるトップボタンの１つが、特定の所定のアプリケーションプログラムを表して選択されるように、マウスを置くことができる。関連するボタン、本実施例においては、右のボタンをハイライト表示すると、ライン状に並んだボタンの下に与えられ、いわゆる「サムネイル画像」を示す画像インデックスで表される、利用可能なすべてのデータファイルに対して、関連するアプリケーションプログラムの評価ソフトウェアが実行される。関連するアプリケーションプログラムで処理されることが可能なサムネイル画像にだけ、ハイライトボタンが発生し、本実施例では、小さな四角として示される。そして、ユーザは、選択されたアプリケーションプログラムの実際の処理ソフトウェアを開始するため、ハイライト表示されたデータファイルの１つをクリックすることにより、又はVDUスクリーンの適切な部分にそれをドラッグすることにより処理することができる。
【００２５】
最後に、本発明は、本発明によるアプリケーションプログラムを備えるデータ担体においても実現されることに留意されたい。
【図面の簡単な説明】
【００２６】
【図１】本発明によるデータ処理システムの一部を形成する視覚表示ユニットの第１の画面を示す図である。
【図２】本発明によるデータ処理システムの一部を形成する視覚表示ユニットの第２の画面を示す図である。
【図１】
2007517281.tif 000003
【図２】
2007517281.tif 000004
【国際調査報告】
2007517281.tif 000005
2007517281.tif 000006
2007517281.tif 000007